(57)【要約】【課題】データの受信者を特定することによって、データの送受信時における情報漏洩を防止することが可能な画像処理システム、制御方法、プログラム、記録媒体を提供することを目的とする。【解決手段】複合機２００は、携帯端末１４０からのワンタイムパスワード送信要求を受け付け、ワンタイムパスワードを生成し複合機１００に送信し、複合機１００はワンタイムパスワードの情報を印刷出力した後、複合機１００における受信者は、印刷出力されたワンタイムパスワードを確認し、ワンタイムパスワード送信要求を行った携帯端末１４０から複合機２００にワンタイムパスワード情報を入力し、複合機２００は生成したワンタイムパスワードと携帯端末１４０から送信されたワンタイムパスワードを比較し、一致した場合のみ送信対象ファイルを複合機１００に送信可能とする。【選択図】図１
2011139380.tif 000002
【特許請求の範囲】
【請求項１】
データを送信する送信側画像処理装置と前記データを受信する受信側画像処理装置と情報処理装置と、が通信回線を介して接続された画像処理システムにおいて、
前記情報処理装置は、
前記データを受信する受信側画像処理装置の送信先を入力するための指示入力手段と、
前記指示入力手段によって入力した前記送信先及び前記情報処理装置を一意に識別するための情報処理装置識別情報を送信する第１の情報処理装置送信手段と、
出力手段によって出力されたパスワードを入力するためのパスワード入力手段と、
前記パスワード入力手段によって入力したパスワード及び前記情報処理装置識別情報を送信する第２の情報処理装置送信手段と、
前記送信側画像処理装置は、
前記第１の情報処理装置送信手段によって送信された送信先及び情報処理装置識別情報を受信する第１の送信側画像処理装置受信手段と、
前記第１の送信側画像処理装置受信手段によって受信した送信先及び情報処理装置識別情報に対してパスワードを生成するパスワード生成手段と、
前記第１の送信側画像処理装置受信手段によって受信した送信先へ前記パスワード生成手段によって生成されたパスワードを送信する第１の送信側画像処理装置送信手段と、
前記第２の情報処理装置送信手段によって送信されたパスワード及び情報処理装置識別情報を受信する第２の送信側画像処理装置送信手段と、
前記第２の送信側画像処理装置送信手段によって受信したパスワード及び情報処理装置識別情報との組合せと前記パスワード生成手段によって生成されたパスワード及び第１の送信側画像処理装置受信手段によって受信した情報処理装置識別情報との組合せが一致するか否かを判定する認証手段と、
前記認証手段によって一致すると判定した場合、前記送信先へ前記データを送信する第２の送信側画像処理装置送信手段と、
前記受信側画像処理装置は、
前記第１の送信側画像処理装置送信手段によって送信されたパスワードを受信する第１の受信側画像処理装置受信手段と、
前記受信側画像処理装置受信手段によって受信したパスワードを出力する出力手段と、
第２の送信側画像処理装置送信手段によって送信されたデータを受信する第２の受信側画像処理装置受信手段と、
を備えたことを特徴とする画像処理システム。
【請求項２】
前記送信側画像処理装置は、データの送信を行うことが可能な受信側画像処理装置に関する送付先を記憶する送信先記憶手段を更に備え、
前記第１の送信側画像処理装置受信手段によって受信した送信先が前記送信先記憶手段に存在しない場合、前記パスワード生成手段によってパスワードを生成し、一方、前記送信先が前記送信先記憶手段に存在する場合は、前記パスワード生成手段によってパスワードを生成せずに、前記第２の送信側画像処理装置送信手段によって前記送信先へ前記データを送信する制御手段を備えたことを特徴とする請求項１に記載の画像処理システム。
【請求項３】
前記パスワード生成手段は、前記情報処理装置とのセッション毎にパスワードを生成し、
前記認証手段は、前記第２の送信側画像処理装置送信手段によって受信したパスワード、情報処理装置識別情報、セッション情報との組合せと前記パスワード生成手段によって生成されたパスワード及び第１の送信側画像処理装置受信手段によって受信した情報処理装置識別情報、第１の送信側画像処理装置受信手段による受信時のセッション情報との組合せが一致するか否かを判定することを特徴とする請求項１または請求項２に記載の画像処理システム。
【請求項４】
データを送信する送信側画像処理装置と前記データを受信する受信側画像処理装置と情報処理装置と、が通信回線を介して接続された画像処理システムの制御方法において、
前記情報処理装置は、
前記データを受信する受信側画像処理装置の送信先を入力するための指示入力工程と、
前記指示入力工程によって入力した前記送信先及び前記情報処理装置を一意に識別するための情報処理装置識別情報を送信する第１の情報処理装置送信工程と、
出力工程によって出力されたパスワードを入力するためのパスワード入力工程と、
前記パスワード入力工程によって入力したパスワード及び前記情報処理装置識別情報を送信する第２の情報処理装置送信工程と、
前記送信側画像処理装置は、
前記第１の情報処理装置送信工程によって送信された送信先及び情報処理装置識別情報を受信する第１の送信側画像処理装置受信工程と、
前記第１の送信側画像処理装置受信工程によって受信した送信先及び情報処理装置識別情報に対してパスワードを生成するパスワード生成工程と、
前記第１の送信側画像処理装置受信工程によって受信した送信先へ前記パスワード生成工程によって生成されたパスワードを送信する第１の送信側画像処理装置送信工程と、
前記第２の情報処理装置送信工程によって送信されたパスワード及び情報処理装置識別情報を受信する第２の送信側画像処理装置送信工程と、
前記第２の送信側画像処理装置送信工程によって受信したパスワード及び情報処理装置識別情報との組合せと前記パスワード生成工程によって生成されたパスワード及び第１の送信側画像処理装置受信工程によって受信した情報処理装置識別情報との組合せが一致するか否かを判定する認証工程と、
前記認証工程によって一致すると判定した場合、前記送信先へ前記データを送信する第２の送信側画像処理装置送信工程と、
前記受信側画像処理装置は、
前記第１の送信側画像処理装置送信工程によって送信されたパスワードを受信する第１の受信側画像処理装置受信工程と、
前記受信側画像処理装置受信工程によって受信したパスワードを出力する出力工程と、
第２の送信側画像処理装置送信工程によって送信されたデータを受信する第２の受信側画像処理装置受信工程と、
を備えたことを特徴とする画像処理システムの制御方法。
【請求項５】
コンピュータで読取り可能なプログラムであると共に実行可能なプログラムであって、前記プログラムは、
データを送信する送信側画像処理装置と前記データを受信する受信側画像処理装置と情報処理装置と、が通信回線を介して接続された画像処理システムにおいて、
前記情報処理装置は、
前記データを受信する受信側画像処理装置の送信先を入力するための指示入力手段と、
前記指示入力手段によって入力した前記送信先及び前記情報処理装置を一意に識別するための情報処理装置識別情報を送信する第１の情報処理装置送信手段と、
出力手段によって出力されたパスワードを入力するためのパスワード入力手段と、
前記パスワード入力手段によって入力したパスワード及び前記情報処理装置識別情報を送信する第２の情報処理装置送信手段と、
前記送信側画像処理装置は、
前記第１の情報処理装置送信手段によって送信された送信先及び情報処理装置識別情報を受信する第１の送信側画像処理装置受信手段と、
前記第１の送信側画像処理装置受信手段によって受信した送信先及び情報処理装置識別情報に対してパスワードを生成するパスワード生成手段と、
前記第１の送信側画像処理装置受信手段によって受信した送信先へ前記パスワード生成手段によって生成されたパスワードを送信する第１の送信側画像処理装置送信手段と、
前記第２の情報処理装置送信手段によって送信されたパスワード及び情報処理装置識別情報を受信する第２の送信側画像処理装置送信手段と、
前記第２の送信側画像処理装置送信手段によって受信したパスワード及び情報処理装置識別情報との組合せと前記パスワード生成手段によって生成されたパスワード及び第１の送信側画像処理装置受信手段によって受信した情報処理装置識別情報との組合せが一致するか否かを判定する認証手段と、
前記認証手段によって一致すると判定した場合、前記送信先へ前記データを送信する第２の送信側画像処理装置送信手段と、
前記受信側画像処理装置は、
前記第１の送信側画像処理装置送信手段によって送信されたパスワードを受信する第１の受信側画像処理装置受信手段と、
前記受信側画像処理装置受信手段によって受信したパスワードを出力する出力手段と、
第２の送信側画像処理装置送信手段によって送信されたデータを受信する第２の受信側画像処理装置受信手段と、
として機能することを特徴するプログラム。
【請求項６】
請求項５に記載したプログラムを記録したコンピュータで読取り可能な記録媒体。
【発明の詳細な説明】
【技術分野】
【０００１】
本発明は、認証処理を行うことによって使用可否を判定する画像処理システム、制御方法、プログラム、記録媒体に関する。
【背景技術】
【０００２】
近年、ファクシミリ装置を利用して送付先へデータを送信する際に発行した確認ＩＤを用いることにより、受信側のファクシミリ装置において発行した確認ＩＤを入力させ、入力された確認ＩＤが正当であるか否かを判定し、正当な確認ＩＤを利用している場合、受信側のファクシミリ装置において受信したデータの利用を承認することによりファクシミリの誤送信を防止する技術が考えられている。（例えば、特許文献１）
【先行技術文献】
【特許文献】
【０００３】
【特許文献１】特開２００７−１６６４７３号公報
【発明の概要】
【発明が解決しようとする課題】
【０００４】
しかしながら、特許文献１に開示されている技術では、送信先である受信側装置への誤送信防止が可能であるが、受信者の特定を行うことに難があり、特に、意図しない受信者が認証し、送付したファクシミリデータが漏洩してしまうといった具合に、機密性が十二分に保たれているとは言い難い。
【０００５】
そこで、本発明は、上記の課題を解決するためになされたものであり、データの受信者を特定することによって、データの送受信時における情報漏洩を防止することが可能な画像処理システム、制御方法、プログラム、記録媒体を提供することを目的とする。
【課題を解決するための手段】
【０００６】
上記目的を達成するための第１の発明は、データを送信する送信側画像処理装置と前記データを受信する受信側画像処理装置と情報処理装置と、が通信回線を介して接続された画像処理システムにおいて、前記情報処理装置は、前記データを受信する受信側画像処理装置の送信先を入力するための指示入力手段と、前記指示入力手段によって入力した前記送信先及び前記情報処理装置を一意に識別するための情報処理装置識別情報を送信する第１の情報処理装置送信手段と、出力手段によって出力されたパスワードを入力するためのパスワード入力手段と、前記パスワード入力手段によって入力したパスワード及び前記情報処理装置識別情報を送信する第２の情報処理装置送信手段と、前記送信側画像処理装置は、前記第１の情報処理装置送信手段によって送信された送信先及び情報処理装置識別情報を受信する第１の送信側画像処理装置受信手段と、前記第１の送信側画像処理装置受信手段によって受信した送信先及び情報処理装置識別情報に対してパスワードを生成するパスワード生成手段と、前記第１の送信側画像処理装置受信手段によって受信した送信先へ前記パスワード生成手段によって生成されたパスワードを送信する第１の送信側画像処理装置送信手段と、前記第２の情報処理装置送信手段によって送信されたパスワード及び情報処理装置識別情報を受信する第２の送信側画像処理装置送信手段と、前記第２の送信側画像処理装置送信手段によって受信したパスワード及び情報処理装置識別情報との組合せと前記パスワード生成手段によって生成されたパスワード及び第１の送信側画像処理装置受信手段によって受信した情報処理装置識別情報との組合せが一致するか否かを判定する認証手段と、前記認証手段によって一致すると判定した場合、前記送信先へ前記データを送信する第２の送信側画像処理装置送信手段と、前記受信側画像処理装置は、前記第１の送信側画像処理装置送信手段によって送信されたパスワードを受信する第１の受信側画像処理装置受信手段と、前記受信側画像処理装置受信手段によって受信したパスワードを出力する出力手段と、第２の送信側画像処理装置送信手段によって送信されたデータを受信する第２の受信側画像処理装置受信手段と、を備えたことを特徴とする。
【０００７】
上記目的を達成するための第２の発明は、データを送信する送信側画像処理装置と前記データを受信する受信側画像処理装置と情報処理装置と、が通信回線を介して接続された画像処理システムの制御方法において、前記情報処理装置は、前記データを受信する受信側画像処理装置の送信先を入力するための指示入力工程と、前記指示入力工程によって入力した前記送信先及び前記情報処理装置を一意に識別するための情報処理装置識別情報を送信する第１の情報処理装置送信工程と、出力工程によって出力されたパスワードを入力するためのパスワード入力工程と、前記パスワード入力工程によって入力したパスワード及び前記情報処理装置識別情報を送信する第２の情報処理装置送信工程と、前記送信側画像処理装置は、前記第１の情報処理装置送信工程によって送信された送信先及び情報処理装置識別情報を受信する第１の送信側画像処理装置受信工程と、前記第１の送信側画像処理装置受信工程によって受信した送信先及び情報処理装置識別情報に対してパスワードを生成するパスワード生成工程と、前記第１の送信側画像処理装置受信工程によって受信した送信先へ前記パスワード生成工程によって生成されたパスワードを送信する第１の送信側画像処理装置送信工程と、前記第２の情報処理装置送信工程によって送信されたパスワード及び情報処理装置識別情報を受信する第２の送信側画像処理装置送信工程と、前記第２の送信側画像処理装置送信工程によって受信したパスワード及び情報処理装置識別情報との組合せと前記パスワード生成工程によって生成されたパスワード及び第１の送信側画像処理装置受信工程によって受信した情報処理装置識別情報との組合せが一致するか否かを判定する認証工程と、前記認証工程によって一致すると判定した場合、前記送信先へ前記データを送信する第２の送信側画像処理装置送信工程と、前記受信側画像処理装置は、前記第１の送信側画像処理装置送信工程によって送信されたパスワードを受信する第１の受信側画像処理装置受信工程と、前記受信側画像処理装置受信工程によって受信したパスワードを出力する出力工程と、第２の送信側画像処理装置送信工程によって送信されたデータを受信する第２の受信側画像処理装置受信工程と、を備えたことを特徴とする。
【０００８】
上記目的を達成するための第３の発明は、コンピュータで読取り可能なプログラムであると共に実行可能なプログラムであって、前記プログラムは、データを送信する送信側画像処理装置と前記データを受信する受信側画像処理装置と情報処理装置と、が通信回線を介して接続された画像処理システムにおいて、前記情報処理装置は、前記データを受信する受信側画像処理装置の送信先を入力するための指示入力手段と、前記指示入力手段によって入力した前記送信先及び前記情報処理装置を一意に識別するための情報処理装置識別情報を送信する第１の情報処理装置送信手段と、出力手段によって出力されたパスワードを入力するためのパスワード入力手段と、前記パスワード入力手段によって入力したパスワード及び前記情報処理装置識別情報を送信する第２の情報処理装置送信手段と、前記送信側画像処理装置は、前記第１の情報処理装置送信手段によって送信された送信先及び情報処理装置識別情報を受信する第１の送信側画像処理装置受信手段と、前記第１の送信側画像処理装置受信手段によって受信した送信先及び情報処理装置識別情報に対してパスワードを生成するパスワード生成手段と、前記第１の送信側画像処理装置受信手段によって受信した送信先へ前記パスワード生成手段によって生成されたパスワードを送信する第１の送信側画像処理装置送信手段と、前記第２の情報処理装置送信手段によって送信されたパスワード及び情報処理装置識別情報を受信する第２の送信側画像処理装置送信手段と、前記第２の送信側画像処理装置送信手段によって受信したパスワード及び情報処理装置識別情報との組合せと前記パスワード生成手段によって生成されたパスワード及び第１の送信側画像処理装置受信手段によって受信した情報処理装置識別情報との組合せが一致するか否かを判定する認証手段と、前記認証手段によって一致すると判定した場合、前記送信先へ前記データを送信する第２の送信側画像処理装置送信手段と、前記受信側画像処理装置は、前記第１の送信側画像処理装置送信手段によって送信されたパスワードを受信する第１の受信側画像処理装置受信手段と、前記受信側画像処理装置受信手段によって受信したパスワードを出力する出力手段と、第２の送信側画像処理装置送信手段によって送信されたデータを受信する第２の受信側画像処理装置受信手段と、として機能することを特徴する。
【０００９】
上記目的を達成するための第４の発明は、第３の発明に記載したプログラムを記録したコンピュータで読取り可能な記録媒体である。
【発明の効果】
【００１０】
本発明によれば、データの受信を要求する受信者が情報処理装置を用いてワンタイムパスワードの発行要求を行い、再度、発行要求を行った情報処理装置から発行されたワンタイムパスワードを入力して認証を行うことで、受信者を特定することができるので、データの誤送信の防止が可能となる、という効果を奏する。
【図面の簡単な説明】
【００１１】
【図１】本発明の実施形態における画像処理システムの概略構成を示す構成図である。
【図２】本発明の実施形態における携帯端末、クライアントＰＣのハードウェア構成を示す構成図である。
【図３】本発明の実施形態における複合機のハードウェア構成を示す構成図である。
【図４】本発明の実施形態における携帯端末のモジュール機能を示す構成図である。
【図５】本発明の実施形態におけるクライアントＰＣのモジュール機能を示す構成図である。
【図６】本発明の実施形態におけるプリントサーバのモジュール機能を示す構成図である。
【図７】本発明の実施形態における複合機のモジュール機能を示す構成図である。
【図８】本発明の実施形態におけるユーザ認証用テーブルの一例を示す構成図である。
【図９】本発明の実施形態における送信ファイルデータテーブルの一例を示す構成図である。
【図１０】本発明の実施形態におけるログイン画面の一例を示す構成図である。
【図１１】本発明の実施形態におけるＦＡＸ番号入力画面の一例を示す構成図である。
【図１２】本発明の実施形態におけるワンタイムパスワード発行確認画面の一例を示す構成図である。
【図１３】本発明の実施形態におけるワンタイムパスワード入力画面の一例を示す構成図である。
【図１４】本発明の実施形態における送信ファイル選択画面の一例を示す構成図である。
【図１５】本発明の実施形態における画像処理システムの基本的な処理を示すフローチャートである。
【発明を実施するための形態】
【００１２】
以下、図面を参照して、本発明の実施形態を詳細に説明する。
【００１３】
図１は、本発明の実施形態におけるファクシミリの誤送信防止を行う画像処理システムの概略構成を示す構成図である。
【００１４】
尚、図１に示すネットワーク上に接続される各種端末の構成は一例であり、用途や目的に応じて様々な構成例があることは言うまでもない。
【００１５】
図１に示すように、事業所Ａ１０には、社屋の階毎に設置された１または複数の画像処理装置（複合機）１００、ユーザ毎に使用されている１または複数のクライアントＰＣ１１０、１または複数のプリントサーバ１２０、がローカルエリアネットワーク（ＬＡＮ）１３０を介して接続される構成としてシステムが設置されている。
【００１６】
クライアントＰＣ１１０には、プリンタドライバがインストールされており、このプリンタドライバは、アプリケーションプログラムから受け取ったデータに基づいて印刷データを生成し、該印刷データをプリントサーバ１２０等へ送信し、プリントサーバ１２０の所定の格納場所（スプール領域）に格納させることができる。
【００１７】
プリントサーバ１２０は、クライアントＰＣ１１０から受信した印刷データを格納することができる。また、プリントサーバ１２０は、格納済の印刷データを複合機１００へ転送制御する。
【００１８】
携帯端末１４０は、携帯端末基地局３００を介して、ワイドエリアネットワーク（ＷＡＮ）４００に通信回線を介して接続することが可能である。尚、本実施形態では、携帯端末１４０を使用した場合を想定しているが、画像処理装置（複合機）２００と接続可能な情報処理装置であれば他の装置でも構わない。
【００１９】
事業所Ｂ２０には、社屋の階毎に設置された１または複数の画像処理装置（複合機）２００、ユーザ毎に利用している１または複数のクライアントＰＣ２１０、１または複数のプリントサーバ２２０、がローカルエリアネットワーク（ＬＡＮ）２３０を介して接続される構成としてシステムが設置されている。
【００２０】
クライアントＰＣ２１０には、プリンタドライバがインストールされており、このプリンタドライバは、アプリケーションプログラムから受け取ったデータに基づいて印刷データを生成し、該印刷データをプリントサーバ２２０等へ送信し、プリントサーバ２２０の所定の格納場所（スプール領域）に格納させることができる。
【００２１】
プリントサーバ２２０は、クライアントＰＣ２１０から受信した印刷データを生成し格納することができる。また、プリントサーバ２２０は格納済の印刷データを複合機２００へ転送制御する。
【００２２】
事業所Ａ１０と事業所Ｂ２０は、ＬＡＮ１３０とＬＡＮ２３０を介してＷＡＮ４００に接続されており、相互に通信を行うことが可能である。
【００２３】
次に、図１に示すクライアントＰＣ１１０、プリントサーバ１２０、携帯端末１４０、クライアントＰＣ２１０、及びプリントサーバ２２０の各種端末のハードウェア構成について、図２を用いて説明する。
【００２４】
ＣＰＵ２０１は、システムバス２０４に接続される各デバイスやコントローラを統括的に制御する。
【００２５】
また、ＲＯＭ（ＦＬＡＳＨ  ＲＯＭ）２０２あるいは外部メモリ２１１には、ＣＰＵ２０１の制御プログラムであるＢＩＯＳ(Basic Input / Output System)やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００２６】
ＣＰＵ２０１は、処理の実行に際して必要なプログラム等をＲＡＭ２０３にロードして、プログラムを実行することで各種動作を実現するものである。
【００２７】
また、入力コントローラ（入力Ｃ）２０５は、キーボード２０９や不図示のマウス等のポインティングデバイスからの入力を制御する。
【００２８】
ビデオコントローラ（ＶＣ）２０６は、ＣＲＴディスプレイ（ＣＲＴ）２１２等の表示器への表示を制御する。表示器はＣＲＴだけでなく、液晶ディスプレイまたはＬＣＤでも構わない。これらは必要に応じて管理者が使用するものである。本発明には直接関係があるものではない。
【００２９】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ２１１へのアクセスを制御する。
【００３０】
ＮｅｔＷｏｒｋＩ／ＦＭＯＤＥＭ２０８は、ネットワークを介して、外部機器と接続・通信するものであり、ネットワークでの通信制御処理を実行する。例えば、ＴＣＰ／ＩＰを用いたインターネット通信等が可能である。
【００３１】
なお、ＣＰＵ２０１は、例えばＲＡＭ２０３内の表示情報用領域へアウトラインフォントの展開（ラスタライズ）処理を実行することにより、ＣＲＴ２１２上での表示を可能としている。また、ＣＰＵ２０１は、ＣＲＴ２１２上の不図示のマウスカーソル等でのユーザ指示を可能とする。
【００３２】
本発明を実現するためのプログラムは外部メモリ２１１に記録されており、必要に応じてＲＡＭ２０３にロードされることによりＣＰＵ２０１によって実行されるものである。さらに、本発明に係わるプログラムが用いる定義ファイル及び各種情報テーブルは外部メモリ２１１に格納されており、これらについての詳細な説明は後述する。
【００３３】
次に、図１の複合機１００、複合機２００の各種端末のハードウェア構成について、図３を用いて説明する。
【００３４】
図３において、３１６はコントローラユニットで、画像入力デバイスとして機能するスキャナ部３１４や、画像出力デバイスとして機能するプリンタ部３１２と接続する一方、ＬＡＮ（例えば、図１に示したＬＡＮ１３０、２３０）や公衆回線（ＷＡＮ）（例えば、ＰＳＴＮまたはＩＳＤＮ等）と接続することで、画像データやデバイス情報の入出力を行う。
【００３５】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３６】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３７】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００３８】
３０５はネットワークインタフェース（Ｎｅｔｗｏｒｋ Ｉ／Ｆ）で、ネットワーク（ＬＡＮ）１２０、１３０に接続し、データの入出力を行う。３０６はモデム（ＭＯＤＥＭ）で、公衆回線に接続し、ファクシミリの送受信等のデータの入出力を行う。
【００３９】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ３１８に接続されている。
【００４０】
そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００４１】
３２０はイメージバスインタフェース（ＩＭＡＧＥ ＢＵＳ
Ｉ／Ｆ）であり、システムバス３０９と画像データを高速で転送する画像バス３１５とを接続し、データ構造を変換するバスブリッジである。
【００４２】
画像バス３１５は、ＰＣＩバスまたはＩＥＥＥ１３９４で構成される。画像バス３１５上には以下のデバイスが配置される。
【００４３】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ部３１４とコントローラユニット３１６を接続し、画像データの同期系／非同期系の変換を行う。
【００４４】
３１７は画像処理部で、入力画像データに対し補正、加工、編集、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４５】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ部３１４に指示を与え、フィーダは原稿用紙を１枚ずつフィードし原稿画像の読み取り動作を行う。
【００４６】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４７】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４８】
尚、表示部はプリンタによって表示性能がことなり、タッチパネルを介して操作をできるプリンタ、単に液晶画面を備え文字列を表示（印刷状態や印刷している文書名の表示）させるだけのプリンタによって本発明は構成されている。
【００４９】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００５０】
カードリーダ３１９は、ＣＰＵ３０１からの制御により、携帯端末内に備えられたＩＣカードに記憶されている情報を読み取り、該読み取った情報を外部Ｉ／Ｆ３１８を介してＣＰＵ３０１へ通知する。
【００５１】
以上のような構成によって、複合機１００、２００は、スキャナ部３１４から読み込んだ画像データをＬＡＮ１３０、２３０上に送信したり、ＬＡＮ１３０、２３０から受信した印刷データをプリンタ部３１２により印刷出力したりことができる。
【００５２】
また、スキャナ部３１４から読み込んだ画像データをモデム３０６により、公衆回線上にファクシミリ送信したり、公衆回線からファクシミリ受信した画像データをプリンタ部３１２により出力したりすることできる。
【００５３】
携帯端末１４０が有するモジュール機能について、図４に示す構成図を用いて説明する。
【００５４】
通信制御モジュール１４１は、モデムが受信した無線データをＮｅｔＷｏｒｋＩ／ＦＭＯＤＥＭ２０８を介して各プログラムとの通信制御を実行し、ウェブブラウザモジュール１４２は、通信制御モジュール１４１から受信したデータを画面としてＣＲＴ２１２へ表示する。
【００５５】
ファイル管理モジュール１４３は、携帯端末１４０に備えられたファイルシステムを管理し、画面生成モジュール１４４は、携帯端末１４０で利用する画面の生成、表示を制御し、指示入力モジュール１４５は、携帯端末１４０の入力デバイスからの入力を制御し、各プログラムへ通知する。
【００５６】
次にクライアントＰＣ１１０、クライアントＰＣ２１０のモジュール機能について、図５に示す構成図を用いて説明する。
【００５７】
印刷データ生成モジュール１５５は、クライアントＰＣで作成した画像データをプリントサーバ１２０、２２０に送信するための印刷データに変換し、印刷指示モジュール１５６は、クライアントＰＣからプリントサーバ１２０、２２０に対して印刷指示を行う。
【００５８】
次にプリントサーバ１２０、プリントサーバ２２０のモジュール機能について、図６に示す構成図を用いて説明する。
【００５９】
印刷ジョブ受付モジュール１５７は、クライアントＰＣ１１０、２１０からの印刷ジョブを受け付け、印刷デバイス指示モジュール１５８は、複合機１００、２００に対して、印刷ジョブの印刷指示を行い、印刷デバイス制御モジュール１５９は、複合機１００、２００の動作の制御を行う。
【００６０】
次に複合機１００、複合機２００のモジュール機能について、図７を用いて説明する。
【００６１】
印刷ジョブ受付モジュール１４６は、プリントサーバ１２０、２２０から受け付けた印刷ジョブを受け付け、印刷ファイル管理モジュール１４７は、クライアントＰＣ１１０、２１０から受け付けた印刷ファイルを保存、管理する。
【００６２】
ウェブサーバモジュール１４８は、携帯端末１４０のウェブブラウザモジュール１４２と通信制御モジュール１４１を介して通信を行い、認証モジュール１４９は、携帯端末１４０からの認証要求に対して認証処理を行う。
【００６３】
画面生成モジュール１５０は、携帯端末１４０へ表示するＨＴＭＬ画面を生成し、ウェブサーバモジュール１４８を介して携帯端末１４０へ送信する。
【００６４】
ＦＡＸ送信指示モジュール１５１は携帯端末１４０からファクシミリ送信指示のあったファイルのファクシミリ送信指示を行い、指示入力モジュール１５２は、複合機１００、２００の入力デバイスからの入力を制御し、各プログラムへ通知し、パスワード生成モジュール１５３は、携帯端末ＩＤをもとにワンタイムパスワードを生成する。
【００６５】
次に、ユーザ認証用テーブル５００について、図８を用いて説明する。
【００６６】
ユーザ認証用テーブル５００には、ユーザＩＤ５０１、ユーザパスワード５０２、部門ＩＤ５０３、部門パスワード５０４、携帯端末ＩＤ５０５、セッションＩＤ５０６、ログイン時間５０７、及びワンタイムパスワード５０８を含んで構成している。
【００６７】
ユーザＩＤ５０１は、複合機２００がユーザ名管理の際に使用するユーザを一意に識別するための識別情報（ＩＤ）を示しており、ユーザパスワード５０２は、複合機２００がユーザ名管理の際に使用するユーザパスワードを示す。
【００６８】
部門ＩＤ５０３は、複合機２００が部門管理の際に使用する部門、またはユーザ名管理時の該当ユーザ所属部門を一意に識別するための識別情報（ＩＤ）を示しており、部門パスワード５０４は、複合機２００が部門管理の際に使用する部門パスワード、またはユーザ名管理時の該当ユーザ所属部門パスワードを示す。
【００６９】
携帯端末ＩＤ５０５は、携帯端末１４０を一意に識別するための識別情報（ＩＤ）を示しており、セッションＩＤ５０６は、携帯端末１４０と複合機２００がネットワーク上で通信を行った際に生成されるセッションを一意に識別するための識別情報（ＩＤ）であり、セッション毎に発行される。
【００７０】
ログイン時間５０７は、携帯端末１４０が複合機２００に対して行った認証処理が成功してから現在までの経過時間を示し、ワンタイムパスワード５０８は、複合機２００が認証処理の成功したユーザに対して発行する一定時間有効なパスワードを示す。
【００７１】
次に、送信ファイルデータテーブル５１０について、図９を用いて説明する。
【００７２】
送信先ＦＡＸ番号５１１は、携帯端末１４０から送信された複合機１００のファクシミリ番号を示し、送信ファイルパス５１２は、複合機２００に保存された印刷データファイルが記録されている領域へのパスを示しており、送信ファイル名５１３は、複合機２００に保存された印刷データファイルのファイル名を示す。また、登録済ＦＡＸ電話番号は、複合機２００に予め記憶された送信先のファクシミリ番号を示し、当項目に記憶された送信先については、既に安全な送付先と見做してワンタイムパスワードを発行せずにデータの送信を行う。
【００７３】
次に、ログイン画面７００について、図１０を用いて説明する。
【００７４】
ユーザＩＤ７０１は、携帯端末１４０にユーザが入力したユーザＩＤを表示する。部門管理の場合は部門ＩＤを表示する。
【００７５】
パスワード７０２は、携帯端末１４０にユーザが入力したユーザパスワードを表示する。部門管理の場合は部門パスワードを表示する。
【００７６】
ＯＫボタン７０３がユーザによって押下された時には、画面に表示されたユーザＩＤ７０１とパスワード７０２を複合機２００に送信する。キャンセルボタン７０４がユーザによって押下された時には、ログイン画面７００を閉じる。
【００７７】
次に、送信先ＦＡＸ番号入力画面７１０について、図１１を用いて説明する。
【００７８】
ユーザ向けメッセージ７１１は、携帯端末１４０を操作するユーザに対して、送信先のファクシミリ番号の入力を促すメッセージを表示する。
【００７９】
送信先ＦＡＸ番号７１２は、携帯端末１４０にユーザが入力した送信先のファクシミリ番号を表示し、ＯＫボタン７１３がユーザによって押下された時には画面に表示された送信先ＦＡＸ番号７１２を複合機２００に送信する。キャンセルボタン７１４がユーザによって押下された時にはログイン画面７００に戻る。
【００８０】
次に、ワンタイムパスワード発行確認画面７２０について、図１２を用いて説明する。
【００８１】
ユーザ向けメッセージ７２１は、携帯端末１４０を操作するユーザに対して、ワンタイムパスワード発行を促すメッセージを表示する。
【００８２】
ＯＫボタン７２３がユーザによって押下された時には、複合機２００にワンタイムパスワード発行要求を送信する。キャンセルボタン７２４がユーザによって押下された時には送信先ＦＡＸ番号入力画面７１０に戻る。
【００８３】
次に、ワンタイムパスワード入力画面７３０について、図１３を用いて説明する。
【００８４】
ユーザ向けメッセージ７３１は、携帯端末１４０を操作するユーザに対して、ワンタイムパスワード入力を促すメッセージを表示する。
【００８５】
ワンタイムパスワード７３２は、携帯端末１４０にユーザが入力したワンタイムパスワードを表示する。
【００８６】
ＯＫボタン７３３がユーザによって押下された時には、画面に表示されたワンタイムパスワード７３２を複合機２００に送信する。キャンセルボタン７３４がユーザによって押下された時にはワンタイムパスワード発行確認画面７２０に戻る。
【００８７】
次に、送信ファイル一覧画面７４０について、図１４を用いて説明する。
【００８８】
送信ファイル一覧画面７４０は、認証済ユーザが、複合機２００からファクシミリ送信可能なファイルの一覧を表示する。ユーザは一覧表示されたファイルのうち受信を希望するファイルを選択するためにチェック（図１４では、×で表示）をいれ、また、複数選択する場合は、受信を希望する各ファイルの項目に対してチェックをいれる。
【００８９】
上スクロール７４２は、送信ファイル一覧７４１を上スクロールさせ、下スクロール７４３は送信ファイル一覧７４１を下スクロールさせる。
【００９０】
ＯＫボタン７４４がユーザによって押下された時には、送信ファイル一覧７４１で選択されたファイル情報を複合機２００に対して送信する。キャンセルボタン７４５が押下され時にはログイン画面７００に戻る。
【００９１】
次に、本発明の実施形態に係るＦＡＸ誤送信を防止するための画像処理システムにおける基本的な処理について、図１５に示すフローチャートを用いて説明する。
【００９２】
前述したように、複合機１００とクライアントＰＣ１１０とプリントサーバ１２０と複合機２００とクライアントＰＣ２１０とプリントサーバ２２０は、ワイドエリアネットワーク４００を介して相互に接続されている。
【００９３】
そして、携帯端末１４０は、携帯端末基地局３００を介して、複合機２００と無線ネットワークで接続され、複合機２００から提供される各種操作画面を介して、ＦＡＸ誤送信防止に係る各種処理を実行する。その一例について、以下に説明する。
【００９４】
予めクライアントＰＣ２１０からプリントサーバ２２０を介して、複合機２００にＦＡＸ送信対象ファイルを保存しておく。保存したファイル情報は、送信ファイルデータテーブル５１０の送信ファイルパス５１２と送信ファイル名５１３に保存しておく。
【００９５】
まず、ステップＳ１００では、携帯端末１４０のウェブブラウザから、通信制御モジュール１４１を介して、携帯端末基地局３００、及びＷＡＮ４００を介して複合機２００に接続要求を行う。
【００９６】
次にステップＳ２００では、複合機２００は、ステップＳ１００における接続要求を受け、画面生成モジュール１５０によって、ログイン画面７００を生成し、ステップＳ２０２において、ウェブサーバモジュール１４８を介して、携帯端末１４０へ送信する。
【００９７】
ステップＳ１０２では、携帯端末１４０は、複合機２００から送信されたログイン画面７００を、通信制御モジュール１４１において受信し、受信したログイン画面７００をウェブブラウザモジュール１４２によって携帯端末１４０のウェブブラウザ画面としてＣＲＴ２１２に表示する。
【００９８】
次のステップ１０４では、携帯端末１４０は、指示入力モジュール１４５によって、ＯＫボタン７０３がユーザによって押下されたことを検知し、ユーザからログイン画面７００に対して入力されたユーザＩＤ７０１及びパスワード７０２を取得し、次のステップＳ１０６では、複合機２００に通信制御モジュール１４１を介して送信する。
【００９９】
また、携帯端末１４０は、指示入力モジュール１４５によって、キャンセルボタン７０４がユーザによって押下されたことを検知した時は、ログイン画面７００を閉じる。
【０１００】
ステップＳ２０４では、複合機２００は、ウェブサーバモジュール１４８によってステップＳ１０６から送信されたユーザ名、パスワードを受信した後、認証モジュール１４９によって、ユーザ認証用テーブル５００に予め登録されたユーザＩＤ５０１、ユーザパスワード５０２と比較し、認証処理を行う。
【０１０１】
尚、複合機２００が部門管理を行っている場合は、生成するログイン画面７００に部門ＩＤとパスワードの入力欄を設け、ユーザ認証用テーブル５００の部門ＩＤ５０３と部門パスワード５０４とを使用して認証処理を行う。
【０１０２】
ステップＳ２０６では、複合機２００は、ウェブサーバモジュール１４８によって、ステップＳ２０４における認証結果を携帯端末１４０に送信し、次のステップＳ１０６において、携帯端末１４０は、通信制御モジュール１４１によって、認証結果を受信する。
【０１０３】
ステップＳ１０８では、指示入力モジュール１４５によって、ステップＳ１０６において受信した認証結果が認証成功であれば、次のステップＳ１２０へ処理を進め、認証失敗であればステップＳ１１０へ処理を進める。
【０１０４】
また、ステップＳ２０８では、複合機２００は、認証結果が認証成功であれば、ステップＳ２１０へ処理を進め、認証失敗であれば、処理を終了する。
【０１０５】
次のステップＳ２１０では、携帯端末１４０の携帯端末ＩＤをユーザ認証用テーブル５００の携帯端末ＩＤ５０５に保存し、画面生成モジュール１５０によって、送信先ＦＡＸ番号入力画面７１０を生成し、ウェブサーバモジュール１４８によって、携帯端末１４０に送信する。
【０１０６】
また、ユーザ認証用テーブル５００のセッションＩＤ５０６に接続確立した通信セッションＩＤを保存し、ログイン時間５０７に認証成功した時間を記憶する。尚、携帯端末１４０と複合機２００間の通信が一定時間行われない場合、複合機２００はセッションＩＤ５０６のセッションを切断すると共に、ユーザ認証用テーブル５００に記憶された該当のセッションＩＤ５０６を削除する。
【０１０７】
ステップＳ１２０では、携帯端末１４０は、複合機２００が生成した送信先ＦＡＸ番号入力画面７１０を通信制御モジュール１４１によって受信し、ウェブブラウザモジュール１４２によってウェブブラウザ画面としてＣＲＴ２１２へ表示する。
【０１０８】
ステップＳ１１０では、画面生成モジュール１４４によって、認証失敗であることを示す認証エラー画面（不図示）をＣＲＴ２１２へ表示した後、ステップＳ１０２に処理を進める。
【０１０９】
次にステップＳ１２２では、携帯端末１４０は、指示入力モジュール１４５によって、ＯＫボタン７１３がユーザによって押下されたことを検知し、送信先ＦＡＸ番号入力画面７１０に対してユーザから入力された送信先ＦＡＸ番号７１２を通信制御モジュール１４１によって複合機２００に対して送信する。
【０１１０】
また、指示入力モジュール１４５によって、キャンセルボタン７１４がユーザによって押下されたことを検知した場合は、ログイン画面７００に戻る。
【０１１１】
ステップＳ２１２では、複合機２００は、ウェブサーバモジュール１４８によって、送信先ＦＡＸ番号を受信し、指示入力モジュール１５２によって、送信ファイルデータテーブル５１０の送信先ＦＡＸ番号５１１に受信した送信先ＦＡＸ番号を記憶する。
【０１１２】
次のステップＳ２１４では、指示入力モジュール１５２によって、複合機２００が記憶した送信先ＦＡＸ番号５１１が送信ファイルデータテーブル５１０の登録済ＦＡＸ番号５１４に存在するかどうかを判定し、未登録であったと判定した場合は、ステップＳ２１６へ処理を進め、未登録であったと判定しなかった場合、ステップＳ２３８へ処理を進める。
【０１１３】
ステップＳ２１６では、画面生成モジュール１５０によって、ワンタイムパスワード発行確認画面７２０を生成し、次のステップＳ２１８において、ウェブサーバモジュール１４８は、生成したワンタイムパスワード発行確認画面７２０を携帯端末１４０へ送信する。
【０１１４】
ステップＳ１２４では、携帯端末１４０は、通信制御モジュール１４１によってワンタイムパスワード発行確認画面７２０を受信した後、ウェブブラウザモジュール１４２によってウェブブラウザ画面として受信したワンタイムパスワード発行確認画面７２０をＣＲＴ２１２へ表示する。
【０１１５】
ステップＳ１２６では、指示入力モジュール１４５によって、ワンタイムパスワード発行確認画面７２０のＯＫボタン７２３が押下されたか否かを検知し、押下されたと検知した場合、ステップＳ１２８へ処理を進め、キャンセルボタン７２４が押下されたと検知した場合は、ステップＳ１２０へ進み、送信先ＦＡＸ番号入力画面７１０を表示する。
【０１１６】
ステップＳ１２８では、通信制御モジュール１４１を介して複合機２００に対して
【０１１７】
ワンタイムパスワードの発行を要求する。
【０１１８】
ステップＳ２２０では、複合機２００は、ウェブサーバモジュール１４８によって、ワンタイムパスワード発行要求を受信し、パスワード生成モジュール１５３によって、ユーザ認証用テーブル５００の携帯端末ＩＤ５０５を元にワンタイムパスワードの生成とユーザ認証用テーブル５００のへワンタイムパスワード５０８の記憶処理を行う。尚、携帯端末ＩＤ５０５とセッションＩＤ５０６との組合せに対して、記憶処理を行っても良い。
【０１１９】
ステップＳ２２２では、複合機２００は、対複合機送受信モジュール１５４によって、発行したワンタイムパスワードを複合機１００に対して送信する。
【０１２０】
ステップＳ３００では、複合機１００は、対複合機送受信モジュール１５４によって、ワンタイムパスワードを受信し、ステップＳ３０２では、ワンタイムパスワードを紙等の記録媒体へ印刷出力する。
【０１２１】
複合機２００が、複合機１００に対してワンタイムパスワードを送信完了後、ステップＳ２２４では、複合機２００は、ウェブサーバモジュール１４８によって、携帯端末１４０にワンタイムパスワード発行完了通知を送信する。
【０１２２】
ステップＳ１４０では、携帯端末１４０は、通信制御モジュール１４１によって、ワンタイムパスワード発行完了通知を受信し、ステップＳ１４２では、ユーザが複合機１００から印刷出力されたワンタイムパスワードを視認し、指示入力モジュール１４５によって、ウェブブラウザのワンタイムパスワード入力画面７３０への入力を待つ。
【０１２３】
ステップＳ１４４では、携帯端末１４０は、指示入力モジュール１４５によって、ＯＫボタン７３３がユーザによって押下されたことを検知した後、ウェブブラウザのワンタイムパスワード入力画面７３０に入力されたワンタイムパスワード７３２を取得して、通信制御モジュール１４１によって、複合機２００に送信する。尚、フローチャート上、記載はしていないが、指示入力モジュール１４５によって、キャンセルボタン７３４がユーザによって押下されたことを検知した場合は、ステップＳ１２４へ処理を進め、ワンタイムパスワード発行確認画面７２０を表示する。
【０１２４】
次のステップＳ２３０では、複合機２００は、ウェブサーバモジュール１４８によって、ワンタイムパスワードを受信する。
【０１２５】
ステップＳ２３２では、複合機２００は、認証モジュール１４９によって、携帯端末１４０から受信したワンタイムパスワードと、ユーザ認証用テーブル５００のワンタイムパスワード５０８に記録された文字列が一致するか否かを比較する。
【０１２６】
但し、ワンタイムパスワードを比較するあたり、ワンタイムパスワードを送信した携帯端末のＩＤあるいはセッションＩＤを取得し、ユーザ認証用テーブル５００に記憶した携帯端末ＩＤあるいはセッションＩＤ５０６もワンタイムパスワードに追加した相互の組合せが一致するか否かの比較を行う。
【０１２７】
ステップステップＳ２３４では、複合機２００は、ウェブサーバモジュール１４８によって比較結果を携帯端末１４０に送信し、ステップＳ１５０では、携帯端末１４０は、通信制御モジュール１４１によって、認証結果を受信する。
【０１２８】
ステップＳ２３６では、ステップＳ２３４における認証結果が認証成功の場合、ステップＳ２３８へ処理を進め、認証結果が認証失敗の場合、ステップＳ２３０において、再度、携帯端末１４０に表示されたワンタイムパスワード入力画面７３０にユーザがワンタイムパスワードを入力することを待つ。
【０１２９】
ステップＳ２３８では、複合機２００は、画面生成モジュール１５０によって、送信ファイルデータテーブル５１０の全ての送信ファイルパス５１２と送信ファイル名５１３を取得し、送信ファイル一覧画面７４０を生成し、ステップＳ２４０において、ウェブサーバモジュール１４８によって、携帯端末１４０に送信する。
【０１３０】
ステップＳ１５４では、携帯端末１４０は、通信制御モジュール１４１によって、送信ファイル一覧画面７４０を受信し、ウェブブラウザモジュール１４２によって、ウェブブラウザ画面としてＣＲＴ２１２に表示する。
【０１３１】
ステップＳ１５２では、ステップＳ１５０において認証結果が認証失敗の場合、携帯端末１４０は、ワンタイムパスワード入力画面７３０をウェブブラウザ画面としてＣＲＴ２１２に表示し、ワンタイムパスワードの入力待ちとなり（ステップＳ１４２）、複合機２００は、ワンタイムパスワードの受信待ちとなる（ステップＳ２３０）。
【０１３２】
次に、ステップＳ１５６では、指示入力モジュール１４５によって、ＯＫボタン７４４がユーザによって押下されたことを検知した後、携帯端末１４０のＣＲＴ２１２に表示中の送信ファイル一覧画面７４０に対してユーザが選択したファイル一覧７４１のファイルパスとファイル名の情報を取得し、ファイル送信要求と共に、通信制御モジュール１４１によって複合機２００に送信する。また、フローチャート上、記載はしていないが、指示入力モジュール１４５によって、キャンセルボタン７４５が押下されたことを検知した場合、ログイン画面７００に戻る（ステップＳ１０２）。
【０１３３】
ステップＳ２４２では、複合機２００は、ウェブサーバモジュール１４８によって、ファイル送信要求を受信する。
【０１３４】
ステップＳ２４４では、複合機２００は、携帯端末１４０からファイル送信要求されたファイル情報のファイルパスとファイル名をもとに、送信ファイルデータテーブル５１０の送信ファイルパス５１２と送信ファイル名５１３を参照し、該当ファイルを検索する。
【０１３５】
その後、ＦＡＸ送信指示モジュール１５１によって、該当ファイルをファクシミリデータとして複合機１００に送信し、ステップＳ３０４では、複合機１００は、対複合機送受信モジュール１５４によってファクシミリデータを受信する。ステップＳ３０６では、複合機１００は、受信したファクシミリデータの印刷出力を行う。
【０１３６】
以上説明したように、本発明によれば、データの受信を要求する受信者が情報処理装置を用いてワンタイムパスワードの発行要求を行い、再度、発行要求を行った情報処理装置から発行されたワンタイムパスワードを入力して認証を行うことで、受信者を特定することができるので、データの誤送信の防止が可能となる、という効果を奏する。特になりすましによるデータが盗みとられる等のセキュリティー上の問題が発生することも抑止することが可能である。
【０１３７】
また、実施形態例を詳述したが、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【０１３８】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０１３９】
なお、本発明におけるプログラムは、各装置の処理方法ごとのプログラムであってもよい。
【０１４０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１４１】
この場合、記録媒体から読み出されたプログラム自体が本発明の新規な機能を実現することになり、そのプログラムを記憶した記録媒体は本発明を構成することになる。
【０１４２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１４３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４６】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４７】
１０  事業所Ａ
２０  事業所Ｂ
１００  複合機（事業所Ａ）
１１０  クライアントＰＣ（事業所Ａ）
１２０  プリントサーバ（事業所Ａ）
１３０  ＬＡＮ（事業所Ａ）
１４０  携帯端末
２００  複合機（事業所Ｂ）
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  ＮｅｔＷｏｒｋＩ／ＦＭＯＤＥＭ
２０９  キーボード
２１０  クライアントＰＣ（事業所Ｂ）
２１１  外部メモリ（ＨＤ、ＦＤ）
２１２  ＣＲＴディスプレイ
２２０  プリントサーバ（事業所Ｂ）
２３０  ＬＡＮ（事業所Ｂ）
３００  携帯端末基地局
３０１  ＣＰＵ
３０２  ＲＡＭ
３０３  ＲＯＭ
３０４  ハードディスクドライブ
３０５  ネットワークインタフェース
３０６  モデム
３０７  操作部インタフェース
３０８  操作部
３０９  システムバス
３１０  ラスタイメージプロセッサ
３１１  プリンタインタフェース
３１２  プリンタ部
３１３  スキャナインタフェース
３１４  スキャナ部
３１５  画像バス
３１６  コントローラユニット
３１７  画像処理部
３１８  外部インタフェース
３１９  カードリーダ
３２０  イメージバスインタフェース
４００  ＷＡＮ
【図１】
2011139380.tif 000003
【図２】
2011139380.tif 000004
【図３】
2011139380.tif 000005
【図４】
2011139380.tif 000006
【図５】
2011139380.tif 000007
【図６】
2011139380.tif 000008
【図７】
2011139380.tif 000009
【図８】
2011139380.tif 000010
【図９】
2011139380.tif 000011
【図１０】
2011139380.tif 000012
【図１１】
2011139380.tif 000013
【図１２】
2011139380.tif 000014
【図１３】
2011139380.tif 000015
【図１４】
2011139380.tif 000016
【図１５】
2011139380.tif 000017
【図１６】
2011139380.tif 000018
【手続補正書】
【提出日】平成22年2月5日(2010.2.5)
【手続補正１】
【補正対象書類名】明細書
【補正対象項目名】００１１
【補正方法】変更
【補正の内容】
【００１１】
【図１】本発明の実施形態における画像処理システムの概略構成を示す構成図である。
【図２】本発明の実施形態における携帯端末、クライアントＰＣのハードウェア構成を示す構成図である。
【図３】本発明の実施形態における複合機のハードウェア構成を示す構成図である。
【図４】本発明の実施形態における携帯端末のモジュール機能を示す構成図である。
【図５】本発明の実施形態におけるクライアントＰＣのモジュール機能を示す構成図である。
【図６】本発明の実施形態におけるプリントサーバのモジュール機能を示す構成図である。
【図７】本発明の実施形態における複合機のモジュール機能を示す構成図である。
【図８】本発明の実施形態におけるユーザ認証用テーブルの一例を示す構成図である。
【図９】本発明の実施形態における送信ファイルデータテーブルの一例を示す構成図である。
【図１０】本発明の実施形態におけるログイン画面の一例を示す構成図である。
【図１１】本発明の実施形態におけるＦＡＸ番号入力画面の一例を示す構成図である。
【図１２】本発明の実施形態におけるワンタイムパスワード発行確認画面の一例を示す構成図である。
【図１３】本発明の実施形態におけるワンタイムパスワード入力画面の一例を示す構成図である。
【図１４】本発明の実施形態における送信ファイル選択画面の一例を示す構成図である。
【図１５】本発明の実施形態における画像処理システムの基本的な処理を示すフローチャートである。
【図１６】本発明の実施形態における画像処理システムの基本的な処理を示すフローチャートである。